(57)【要約】【課題】簡易な構成で、飲食店の調理場等の無線通信が困難な空間から通信を行う場合や、飲食店等において各フロア間で通信を行う際に、設備コストを低減すると共に、両手が塞がれている者にとって使い勝手のよい通信システム等を提供する。【解決手段】スタンドマイクスピーカー２と、互いに無線通信を行うことが可能な複数の携帯型トランシーバ３（３Ａ〜３Ｄ）と、スタンドマイクスピーカーが携帯型トランシーバの少なくとも１つを介して他の携帯型トランシーバと通信を行うことができるように、スタンドマイクスピーカーと携帯型トランシーバの少なくとも１つとを接続するコード４（４Ａ、４Ｂ）とを備える通信システム１。【選択図】図１
2018074184.tif 000002
【特許請求の範囲】
【請求項１】
スタンドマイクスピーカーと、
互いに無線通信を行うことが可能な複数の携帯型トランシーバと、
前記スタンドマイクスピーカーが前記携帯型トランシーバの少なくとも１つを介して他の携帯型トランシーバと通信を行うことができるように、前記スタンドマイクスピーカーと前記携帯型トランシーバの少なくとも１つとを接続するコードとを備えることを特徴とする通信システム。
【請求項２】
前記スタンドマイクスピーカーは無線通信が困難な空間に配置されることを特徴とする請求項１に記載の通信システム。
【請求項３】
前記無線通信が困難な空間は飲食店の調理場であって、該飲食店の調理場以外の場所に配置された前記携帯型トランシーバの少なくとも１つと前記スタンドマイクスピーカーとが前記コードで接続されることを特徴とする請求項２に記載の通信システム。
【請求項４】
携帯型トランシーバに接続されたコードが接続される接続部を備えることを特徴とするスタンドマイクスピーカー。
【発明の詳細な説明】
【技術分野】
【０００１】
本発明は、飲食店等において従業員間で連絡を取り合うためなどに用いられる通信システム等であって、特に無線通信が困難な空間が存在する場所において有効な通信システム、及びこのシステムにおいて用いられるスタンドマイクスピーカーに関する。
【背景技術】
【０００２】
比較的大型の飲食店等においては、接客を行う従業員がトランシーバを携帯して各々店内を移動し、従業員同士で連絡を取り合うことがある。また、飲食物の調理人と接客を行う従業員とがトランシーバを介して連絡を取り合うことがある。
【発明の概要】
【発明が解決しようとする課題】
【０００３】
しかし、調理場の壁が厚いと無線通信が遮られ、調理場内のトランシーバと、調理場以外の店内を移動するトランシーバとの間で無線通信を行うことが困難な場合がある。そこで、調理場と調理場以外の場所の各々に中継器を設置し、両中継器を有線で接続することで通信が可能になるが、設備コストが高騰する。
【０００４】
また、複数階のフロアを有する大型の飲食店等においても、各フロア間で無線通信が遮断され、各フロア間を跨ぐ中継器が必要となるため、設備コストが高騰する。
【０００５】
一方、飲食店の調理人は、両手が塞がれていることが多いため、トランシーバを持って連絡し合うことが困難であり、上記設備コストの面だけでなく、調理人等にとって使い勝手のよい通信システムが望まれていた。
【０００６】
そこで、本発明は、上記問題点に鑑みてなされたものであって、簡易な構成で、飲食店の調理場等の無線通信が困難な空間から通信を行う場合や、飲食店等において各フロア間で通信を行う際に、設備コストを低減すると共に、両手が塞がれている者にとって使い勝手のよい通信システム等を提供することを目的とする。
【課題を解決するための手段】
【０００７】
上記目的を達成するため、本発明は、通信システムであって、スタンドマイクスピーカーと、互いに無線通信を行うことが可能な複数の携帯型トランシーバと、前記スタンドマイクスピーカーが前記携帯型トランシーバの少なくとも１つを介して他の携帯型トランシーバと通信を行うことができるように、前記スタンドマイクスピーカーと前記携帯型トランシーバの少なくとも１つとを接続するコードとを備えることを特徴とする。
【０００８】
本発明によれば、簡易な構成で、スタンドマイクスピーカーを飲食店の調理場等、無線通信が困難な空間に置き、このスタンドマイクスピーカーにコードを介して接続されるトランシーバを、飲食店の客室フロア等、無線通信可能な空間に配置することで、中継機を設けずに調理場と客室フロアとの間で通信を行うことができるため、設備コストを大幅に低減することができる。また、スタンドマイクスピーカーを用いることで飲食店の調理人のように両手が塞がれている者にとって使い勝手がよい。
【０００９】
また、本発明は、スタンドマイクスピーカーであって、トランシーバに接続されたコードが接続される接続部を備えることを特徴とする。このスタンドマイクスピーカーを用いることで、上記作用効果を奏する通信システムを構築することができる。
【発明の効果】
【００１０】
以上のように、本発明によれば、簡易な構成で、設備コスト低く、使い勝手のよい通信システム等を提供することができる。
【図面の簡単な説明】
【００１１】
【図１】本発明に係る通信システムの一実施形態を示す全体構成図である。
【図２】本発明に係るスタンドマイクスピーカーを示し、（ａ）は斜視図、（ｂ）は底面図である。
【図３】図２に示すスタンドマイクスピーカーの取付例を示し、（ａ）は組立斜視図、（ｂ）はスタンドマイクスピーカーを壁に取り付けた状態を示す側面図である。
【発明を実施するための形態】
【００１２】
次に、本発明を実施するための形態について図面を参照しながら詳細に説明する。尚、以下の説明においては、本発明に係る通信システムを飲食店で用いる場合を例示する。
【００１３】
図１は、本発明に係る通信システムの一実施の形態を示し、この通信システム１は、調理場Ｋに設置されるスタンドマイクスピーカー２と、互いに無線通信を行うことが可能で、複数階のフロア（１Ｆ、２Ｆ）内に位置する複数の携帯型トランシーバ（以下「トランシーバ」という）３（３Ａ−３Ｄ）と、スタンドマイクスピーカー２とトランシーバ３Ａ、３Ｂを各々電気的に接続するコード４（４Ａ、４Ｂ）とで構成される。
【００１４】
トランシーバ３Ａは、フロア１Ｆの調理場Ｋの近傍の壁１０に固定され、トランシーバ３Ｂは、調理場Ｋの近傍のフロア２Ｆの壁１１に固定され、トランシーバ３Ｃは、フロア１Ｆ内を移動する従業員２１によって携帯され、トランシーバ３Ｄは、フロア２Ｆ内を移動する従業員２２によって携帯されている。
【００１５】
調理場Ｋは、厚い壁１０、１２に囲まれているため、外部と無線通信を行うことが困難な空間であり、フロア１Ｆとフロア２Ｆの間にも厚い天井１３及び床１４が存在するため、両フロア１Ｆ、２Ｆ間では無線通信を行うことが困難である。
【００１６】
上記構成を有する通信システム１によれば、調理場Ｋに設置されるスタンドマイクスピーカー２が壁１０を貫通して敷設されたコード４Ａを介してトランシーバ３Ａと接続されているため、これらトランシーバ３Ａ及びコード４Ａを介して、スタンドマイクスピーカー２とトランシーバ３Ｃの通信が可能になり、調理場Ｋの中と外の各々に中継器を設置する必要がなく、設備コストを低減することができる。
【００１７】
また、上記構成を有する通信システム１によれば、調理場Ｋに設置されるスタンドマイクスピーカー２が天井１３及び床１４を貫通して設けられたコード４Ｂを介してフロアＦ２内に位置するトランシーバ３Ｂと接続されているため、これらトランシーバ３Ｂ及びコード４Ｂを介して、スタンドマイクスピーカー２とトランシーバ３Ｄの通信が可能になり、フロアＦ１、Ｆ２の各々に中継器を設置する必要がなく、設備コストを大幅に低減することができる。
【００１８】
図２は、本発明に係るスタンドマイクスピーカーの一実施の形態を示し、このスタンドマイクスピーカー２は、電源スイッチ／音量ボリューム２ａと、マイク２ｂと、スピーカー２ｃと、呼び出し釦２ｄと、電源ランプ、受信ランプ及び送信ランプ等からなる各種ランプ２ｅと、上記コード４と接続される接続ジャック（接続部）２ｆと、底面に設けられる取付孔２ｇ及び吸着盤２ｈとで構成される。
【００１９】
呼び出し釦２ｄは、押下されている場合にのみ、マイク２ｂを介して音声を出力するように構成される。また、接続ジャック２ｆは、接続口を１つしか備えていないが、図１に示す通信システム１のように、スタンドマイクスピーカー２に２つのトランシーバ３Ａ、３Ｂを接続するために複数の接続口を有するものを用いることもできる。
【００２０】
次に、上記構成を有するスタンドマイクスピーカー２の壁等への取付例について主に図３を参照しながら説明する。
【００２１】
まず、図３（ａ）に示すように、中央部及び両端部に取付孔６ａ、６ｂを有する金属製等の取付板６を、取付孔６ａ、取付ねじ７及び取付孔２ｇ（図２参照）を介してスタンドマイクスピーカー２の底面に固定し、取付板６の取付孔６ｂに取付ねじ８（図３（ｂ）参照）を挿入し、スタンドマイクスピーカー２を例えば調理場Ｋ（図１参照）の壁１２に固定することができる。
【００２２】
取付板６を用いなくても、図２に示す吸着盤２ｈを介して調理場Ｋの調理作業台等にスタンドマイクスピーカー２を安定して固定することもできる。
【００２３】
尚、上述したスタンドマイクスピーカー２の構成はあくまで一例であって、トランシーバに接続されたコードが接続される接続部を有するものであれば、本体の形状や各部の配置等は自由に設定することができる。
【００２４】
上記通信システム１を利用することで、図１に示すように、調理場Ｋ内の調理人２３と、複数階のフロア（１Ｆ、２Ｆ）内に位置する従業員２１、２２とがスタンドマイクスピーカー２及びトランシーバ３Ｃ、３Ｄによって連絡を取り合うことができ、特に調理人２３は、調理をしているために両手が塞がれていることが多いが、スタンドマイクスピーカー２を壁１２に固定することで、肘で呼び出し釦２ｄを押すだけで通話が可能となり便利である。
【００２５】
また、スタンドマイクスピーカー２を種々のタイプのトランシーバに適用可能とすることで、既存のトランシーバを流用し、スタンドマイクスピーカー２とトランシーバの１つとをコード４（４Ａ、４Ｂ）で接続することで通信システム１を構成することができ、設備コストの増加を最小限に抑えながら通信システム１を構築することができる。
【符号の説明】
【００２６】
１  通信システム
２  スタンドマイクスピーカー
２ａ  電源スイッチ／音量ボリューム
２ｂ  マイク
２ｃ  スピーカー
２ｄ  呼び出し釦
２ｅ  各種ランプ
２ｆ  接続ジャック
２ｇ  取付孔
２ｈ  吸着盤
３（３Ａ−３Ｄ）  トランシーバ
４（４Ａ、４Ｂ）  コード
６  取付板
６ａ、６ｂ  取付孔
７  取付ねじ
１０〜１２  壁
１３  天井
１４  床
２１、２２  従業員
２３  調理人
１Ｆ、２Ｆ  フロア
Ｋ  調理場
【図１】
2018074184.tif 000003
【図２】
2018074184.tif 000004
【図３】
2018074184.tif 000005